(57)【要約】【課題】光源を有する読取手段を備えた画像読取装置において、読取手段の光源を有効に活用して省エネルギー化を図ることを課題とする。【解決手段】読取載置台６上面のコンタクトガラス２９の側方であって、プラテンカバー７の側方に設けられた透過部材２１と、読取手段である読取装置３１を、その光源のスキャナランプ３５が透過部材２１と対向する報知ポジションとプラテンガラス９の下方のホームポジションとの間で移動させ得る移動手段６１・６２と、透過部材２１から進入した外光がコンタクトガラス２９の下方に位置固定した読取装置３１又はプラテンガラス９の下方にある読取装置３１に至るのを防ぐ遮蔽部材２３と、を備えた画像読取装置とする。【選択図】図１
2005130015.tif 000002
【特許請求の範囲】
【請求項１】
原稿に対して光を照射する光源を有する読取手段と、
前記読取手段の上方に配置された、原稿画像が読み取られる原稿読取面と、
前記原稿読取面を被装するカバー部材と、
を備えた画像読取装置において、
装置本体における原稿読取面の側方であって、前記カバー部材の側方に設けられた透過部材と、
前記読取手段を、その光源が前記透過部材と対向する位置と、前記原稿読取面の下方位置との間で移動させ得る移動手段と、
前記透過部材から進入した外光が前記原稿読取面の下方にある読取手段に至るのを防ぐ遮蔽部材と、
を備えたことを特徴とする画像読取装置。
【請求項２】
前記読取手段を、原稿読取時以外には、その光源が前記透過部材と対向する位置に待機させて、原稿読取要求が発生した場合に、前記原稿読取面の下方位置に移動させる制御手段を備えたことを特徴とする請求項１に記載の画像読取装置。
【請求項３】
請求項１に記載の画像読取装置を備えたファクシミリ装置において、
ファクシミリ受信が発生した場合に、前記読取手段をその光源が前記透過部材と対向する位置に移動させる制御手段を備えたことを特徴とする画像読取装置を備えたファクシミリ装置。
【請求項４】
前記ファクシミリ装置は、記録紙に画像を形成する画像形成装置と、画像が形成された記録紙を排出する記録紙排出トレイと、記録紙排出トレイ上に排出される記録紙の有無を検出する記録紙検出手段と、を備え、
前記制御手段は、前記記録紙検出手段によって記録紙排出トレイ上に記録紙が検出された場合に、前記読取手段をその光源が前記透過部材と対向する位置に移動させ、前記記録紙検出手段によって記録紙排出トレイ上に記録紙がないことが検出された場合に、前記読取手段を原稿読取面の下方位置に復帰させることを特徴とする請求項３に記載の画像読取装置を備えたファクシミリ装置。
【発明の詳細な説明】
【技術分野】
【０００１】
本発明は、原稿に対して光を照射する光源を有する読取手段を備えた画像読取装置、及び該画像読取装置を具備するファクシミリ装置に関する。
【背景技術】
【０００２】
従来より、光源を有する読取装置を走査して原稿に光源からの光を照射し、その反射光をミラーやレンズを介してＣＣＤに結像して、この光情報を電気信号に変換し、この信号をデジタル信号として装置に対して出力する画像読取装置が知られている。この画像読取装置はコピー機やファクシミリ装置などに搭載されており、これらは電源のオン・オフを識別するためのパイロットランプを備えている。
【０００３】
このような構成の画像読取装置の従来技術として、例えば図５に示すような装置がある。この画像読取装置では、原稿に対して光を照射する光源を利用して、これをパイロットランプにも用いており、原稿を照明する照明光を供給する照明手段と、該照明手段を原稿照明可能な位置から逸脱する位置まで移動し得る移動手段と、前記照明手段が原稿照明可能な位置から逸脱する位置にて発光する光を装置本体の外部へ導く導光手段とを有した構成としている。
【０００４】
具体的には、照明手段は原稿に対して光を照射する光源１３５であり、該光源１３５はプラテンガラス１０９の下方で矢印方向に走査する読取装置１３１に搭載されている。上述の「照明手段を原稿照明可能な位置」とは、光源１３５を有する読取装置１３１がプラテンガラス１０９の一端から他端までの間にある位置で、プラテンガラス１０９に載置された原稿１１０に対して光源１３５から発する光が照射可能な位置である。また、「照明手段が原稿照明可能な位置から逸脱する位置」とは、装置本体１０６上面におけるプラテンガラス１０９の一側方であり、この位置には開口部１２８が設けられて、該開口部１２８にはガラス等の透過部材１２９が嵌め込まれている。この透過部材１２９が導光手段であり、読取装置１３１をこの透過部材１２９の直下方に位置させて、光源１３５を発光させることで、発光する光が透過部材１２９を介して装置本体１０６外部へ導かれるように構成されている。
【０００５】
以上のような構成で、画像読取装置が画像読取動作前のスタンバイ状態の時に、読取装置１３１を透過部材１２９の直下方に位置させて、光源１３５を点灯しておくことで、ユーザは透過部材１２９を介してその点灯光を目視することができ、電源状態を認識することができるようになっている。そして、このような画像読取装置に類似する装置を開示した文献として、例えば特許文献１がある。
【０００６】
【特許文献１】特開平１０−１５５０６０号公報
【発明の開示】
【発明が解決しようとする課題】
【０００７】
ところで、画像読取装置は、プラテンガラス上にセットされた原稿を覆うための開閉自在なカバー部材を備えており、特許文献１に開示されている画像読取装置には、このカバー部材については言及されてないが、透過部材１２９及びプラテンガラス１０９を覆うカバー部材１０７（図５中に二点差線で示す）を備えていると想到することができる。外光は透過部材１２９を介しても読取装置１３１へ進入し、従って、プラテンガラス１０９上にセットされた原稿１１０の画像を読み取るときには、カバー部材１０７でプラテンガラス１０９と透過部材１２９とを覆う必要がある。
【０００８】
以上のような構成で、特許文献１に開示されている画像読取装置は、画像読取動作前のスタンバイ状態の時に、読取装置１３１を透過部材１２９の直下方に位置させて、光源１３５を点灯させているが、この光源１３５から透過部材１２９を介しての点灯光はカバー部材１０７を開けた状態でなければ、確認することができない。
【０００９】
また、従来から見られる、ＡＤＦ（自動原稿読取装置）を備えた画像読取装置にあっては、特許文献１において透過部材１２９が設けられている位置に、コンタクトガラスが設けられており、該コンタクトガラスの下方に読取装置を移動させて、該読取装置によって、ＡＤＦ内を搬送されて該コンタクトガラス上を通過する原稿の画像を読み取るように構成されている。
【００１０】
このように、特許文献１に開示されている画像読取装置は、従来のＡＤＦを備えた画像読取装置と機構的な構成が殆ど同じであり、ＡＤＦを備えた画像読取装置からＡＤＦを取り除けば、特許文献１に開示されている画像読取装置と略同じ装置構成となる。
【００１１】
本発明においては、特許文献１に開示されている画像読取装置とは異なる構成で、読取手段の光源を有効に活用して省エネルギー化を図った画像読取装置を提供することを課題とする。
【課題を解決するための手段】
【００１２】
本発明の解決しようとする課題は以上の如くであり、次にこの課題を解決するための手段を説明する。
まず、請求項１に記載のように、原稿に対して光を照射する光源を有する読取手段と、前記読取手段の上方に配置された、原稿画像が読み取られる原稿読取面と、前記原稿読取面を被装するカバー部材と、を備えた画像読取装置において、装置本体における原稿読取面の側方であって、前記カバー部材の側方に設けられた透過部材と、前記読取手段を、その光源が前記透過部材と対向する位置と、前記原稿読取面の下方位置との間で移動させ得る移動手段と、前記透過部材から進入した外光が前記原稿読取面の下方にある読取手段に至るのを防ぐ遮蔽部材と、を備えた構成とする。
【００１３】
また、請求項２に記載のように、前記読取手段を、原稿読取時以外には、その光源が前記透過部材と対向する位置に待機させて、原稿読取要求が発生した場合に、前記原稿読取面の下方位置に移動させる制御手段を備えた構成とする。
【００１４】
そして、請求項３に記載のように、請求項１に記載の画像読取装置を備えたファクシミリ装置において、ファクシミリ受信が発生した場合に、前記読取手段をその光源が前記透過部材と対向する位置に移動させる制御手段を備えた構成とする。
【００１５】
さらに、請求項４に記載のように、前記ファクシミリ装置は、記録紙に画像を形成する画像形成装置と、画像が形成された記録紙を排出する記録紙排出トレイと、記録紙排出トレイ上に排出される記録紙の有無を検出する記録紙検出手段と、を備え、前記制御手段は、前記記録紙検出手段によって記録紙排出トレイ上に記録紙が検出された場合に、前記読取手段をその光源が前記透過部材と対向する位置に移動させ、前記記録紙検出手段によって記録紙排出トレイ上に記録紙がないことが検出された場合に、前記読取手段を原稿読取面の下方位置に復帰させる構成とする。
【発明の効果】
【００１６】
本発明の効果として、以下に示すような効果を奏する。
まず、請求項１に記載の発明では、画像読取動作前のスタンバイ状態の時などに、読取手段をその光源が透過部材と対向する位置に移動させておくことで、カバー部材を開けることなく、カバー部材を閉じた状態の装置外部から、該読取手段の光源からの光が透過部材を介して視認可能となり、該光源からの光を装置本体の電源状況や動作状況を報知するパイロットランプとして有効に利用することができる。
このように読取手段の光源をパイロットランプとして有効に活用することで、従来別途に設けていたパイロットランプが不要となり、部品点数の削減を図ることができるとともに、該パイロットランプを点灯させておくのに必要であった消費電力をカットすることができ、経済的である。
【００１７】
また、請求項２に記載の発明では、前記読取手段の光源を、本来の用途である原稿画像を読み取るときに点灯させて用いるほか、画像読取動作前のスタンバイ状態の時などに、読取手段をその光源が透過部材と対向する位置に移動させておくことで、カバー部材を開けることなく、カバー部材を閉じた状態の装置外部から、該読取手段の光源からの光が透過部材を介して視認可能となり、該光源からの光を装置本体の電源状況や動作状況を報知するパイロットランプとして有効に利用することができる。
このように読取手段の光源をパイロットランプとして有効に活用することで、従来別途に設けていたパイロットランプが不要となり、部品点数の削減を図ることができるとともに、該パイロットランプを点灯させておくのに必要であった消費電力をカットすることができ、経済的である。
【００１８】
そして、請求項３に記載の発明では、ファクシミリ受信が発生した場合に、読取手段をその光源が透過部材と対向する位置に移動させておくことで、該読取手段の光源を、ファクシミリ受信発生時にその旨を報知する報知ランプとして利用することができる。
このように読取手段の光源を報知ランプとして有効に活用することで、従来別途に設けていたファクシミリ受信の発生を報知する報知手段が不要となり、部品点数の削減を図ることができるとともに、該報知手段を作動させておくのに必要であった消費電力をカットすることができ、経済的である。
【００１９】
さらに、請求項４に記載の発明では、記録紙検出手段によって記録紙排出トレイ上に記録紙が検出された場合に、読取手段をその光源が透過部材と対向する位置に移動させることで、該読取手段の光源を、ファクシミリ受信発生時にその旨を報知する報知ランプとして利用することができる。
そして、記録紙排出トレイ上に排出されている記録紙が取り除かれ、記録紙検出手段によって記録紙排出トレイ上に記録紙がないことが検出された場合には、該読取手段はホームポジションに移動復帰するように構成されている。すなわち、この構成では、読取手段が報知ポジションに位置して、カバー部材を開けることなく、カバー部材を閉じた状態の装置外部から、該読取手段の光源からの光が透過部材を介して視認可能に点灯しているときは、記録紙排出トレイ上に記録紙があるときであり、ユーザに記録紙排出トレイ上に記録紙があることを報知することができて、記録紙の取り出しを促すことができるようになっている。
このように読取手段の光源を報知ランプとして有効に活用することで、従来別途に設けていたファクシミリ受信の発生を報知する報知手段が不要となり、部品点数の削減を図ることができるとともに、該報知手段を作動させておくのに必要であった消費電力をカットすることができ、経済的である。
【発明を実施するための最良の形態】
【００２０】
これより、本発明に係る画像読取装置を有する装置の一実施例として、コピー・ファクシミリ複合機１を参照しながら説明する。
【００２１】
図１はコピー・ファクシミリ複合機１の概略構成であり、複合機１の本体は、給紙カセット５１を備えた給紙部５上に載置固定されており、この本体内に画像読取装置であるスキャナとしての画像読取部３と、プリンタとしての画像記録部４とが上下に配置されている。また、本体上部には読取載置台６が形成され、この読取載置台６内部に画像読取部３が設けられている。
【００２２】
画像読取部３は、原稿画像を読み取る読取手段として読取装置３１を備えており、この読取装置３１は、読取原稿に対して光を照射する光源としてのスキャナランプ３５を備えている。読取装置３１はこのスキャナランプ３５を発光させて、読取原稿からの反射光をミラー３６・３７・３８で反射し、レンズ３９を介してＣＣＤ３２へ集光して、該ＣＣＤ３２で原稿画像を結像し、画像情報を読み取るように構成している。
【００２３】
原稿読取台６の上面には、プラテンガラス９と、コンタクトガラス２９と、透過部材２１とが設けられており、該プラテンガラス９と該コンタクトガラス２９と該透過部材２１とは読取装置３１の上方に配置されている。プラテンガラス９は原稿載置台６上面の大部分を占めており、該プラテンガラス９の一側方（読取装置３１の副走査方向における一側方）にコンタクトガラス２９が配置されて、該コンタクトガラス２９の一側方に透過部材２１が配置されている。このプラテンガラス９はその上に載置された原稿の画像を読み取るときの原稿読取面であり、コンタクトガラス２９はその上を通過する原稿の画像を読み取るときの原稿読取面である。
【００２４】
読取載置台６の一辺にはプラテンカバー７が開閉自在に設けられており、該プラテンカバー７はプラテンガラス９とコンタクトガラス２９と覆うカバー部材として構成されている。このプラテンカバー７の一端部（読取装置３１の副走査方向における一端部）には、自動原稿搬送装置（以下、「ＡＤＦ」と呼ぶ）８が付設されており、ＡＤＦ８の給紙口８ａに連なるように、原稿供給トレイ２８がプラテンカバー７の上方において配設されて、その下方におけるプラテンカバー７の上面には、ＡＤＦ８の給紙口８ａの直下に配置された排紙口８ｂに連なるように原稿排出トレイ７ｂが一体形成されている。
【００２５】
画像記録部４の内部には、給紙カセット５１から繰り込まれた記録紙５５を搬送する記録紙搬送経路１４が画像読取部３下方の記録紙排出トレイ５３へ向けて形成されており、該記録紙搬送経路１４に沿って現像器ユニット２５、感光体ユニット２６、定着器ユニット２７、排出ローラ５２が配置されている。
【００２６】
図２は複合機１の制御機構を示すブロック図であり、複合機１の制御部には、制御手段であるＭＰＵ１１、ＲＯＭ１２、ＲＡＭ１３、画像読取部３、画像記録部４、操作部２、表示部２０、画像メモリ（ＤＲＡＭ）１５、ＣＯＤＥＣ（符号化・複号器）１６、ＭＯＤＥＭ１７、及びＮＣＵ（ネットワーク制御回路）１８等が備えられ、これらの各部がバス１９を介して通信可能に接続されている。
【００２７】
ＭＰＵ１１は、操作部２への入力操作及び制御プログラム等に基づいて、複合機１の各部を制御する制御手段である。ＲＯＭ１２には、複合機１を制御する制御プログラム等が記憶されている。また、ＲＡＭ１３には、複合機１の制御状態などの各種情報が一時的に記憶される。
【００２８】
画像読取部３は、スキャナランプ３５を有する読取装置３１、ＣＣＤ３２、及び読取部制御回路３０等を備え、これらによって読取処理に係る光学系を構成し、プラテンガラス９上に載置された写真、文書、図面などの原稿を光学的に読み取って、イメージデータである原稿画情報を出力する。
【００２９】
読取部制御回路３０は、画像読取部３の各装置の制御手段であり、例えば、原稿サイズに応じて、読取装置３１の主走査方向および副走査方向の走査幅（走行幅）を変更する。
【００３０】
画像記録部４は、電子写真方式のプリンタで構成され、前記画像読取部３で出力された原稿画像や、ＭＯＤＥＭ１７を介して受信した受信画像を記録紙上に記録する。
記録紙センサ５４は、画像記録部４の記録紙排出トレイ５３上に設けられた記録紙検出手段であり、該記録紙センサ５４により記録紙排出トレイ５３上に排出された記録紙５５の有無を検出する。
【００３１】
操作部２には、複合機１を操作するための入力手段として、スタートキーやテンキー、表示対応キー等の各種操作キーが設けられている。
表示部２０はＬＣＤ（液晶ディスプレイ）等で構成されており、操作部２上に配置されている。この表示部２０には複合機１の動作状態などの各種情報が表示され、この表示部２０の手前の表示対応キーで表示事項を選択設定するように構成されている。
【００３２】
画像メモリ１５には、前記原稿画像や受信画像などのイメージデータが一時的に記憶される。ＣＯＤＥＣ（符号化・復号器）１６は、符号化器として機能し、画像読取部３で読み取られた原稿画像を、ＭＨ、ＭＲ、ＭＭＲ方式などにより符号化（エンコード）する。また、ＣＯＤＥＣ１６は復号器としても機能し、上述のように符号化したイメージデータを復号（デコード）する。ＭＯＤＥＭ１７は、ＩＴＵ（国際電気通信連合）勧告に従ったファクシミリ伝送制御手順に基づいて、送信データの変調及び受信データの復調を行う。ＮＣＵ（ネットワーク制御回路）１８は、電話回線Ｌとの接続を制御するとともに、相手先の電話番号（ファクシミリ番号を含む）に対応したダイアル信号の送出および着信を検出するための機能を備えている。
【００３３】
次に、画像読取部３の構成について図１及び図３を参照しながら説明する。
図１に示すように、読取装置３１は、副走査キャリッジとしての第１走査体３３と第２走査体３４とを備え、該第１走査体３３と該第２走査体３４とは移動手段６１・６２によって移動可能に構成されている。第１走査体３３はスキャナランプ３５やミラー３６等を備え、第２走査体３４はミラー３７・３８を備えている。原稿に光を照射する光源としてのスキャナランプ３５には、ＬＥＤ素子などの発光素子からなる白色光源が用いられており、装置本体の電源がオンのときには常時点灯している。
【００３４】
移動手段６１・６２は、ワイヤー又は歯付きベルト等の可撓性の部材で構成されており、移動手段６１は読取載置台６内において読取装置３１の副走査方向における一側端部と他側端部とに設けられたプーリ６３・６４に巻回されており、移動手段６２は読取載置台６内の一側端部と他側部に設けられたプーリ６６・６７に巻回されている。また、第１走査体３３は移動手段６１を係止し、第２走査体３４は移動手段６２を係止している。プーリ６３・６６は共通の駆動軸６５に取り付けられており、該駆動軸６５はモータ（図示略）で回転させて、第１走査体３３及び第２走査体３４を走行させるようにしている。
【００３５】
この読取装置３１において、フラットベッドタイプのスキャナとして用いる場合、プラテンガラス９上に原稿が載置されると、この原稿に対して光を照射するスキャナランプ３５が発光し、このスキャナランプ３５及びミラー３６を有する第１走査体３３を前記移動手段６１によって副走査方向に移動させ、原稿読取面であるプラテンガラス９を介して原稿を露光走査する。この時、原稿からの反射光はミラー３６・３７・３８によって反射して屈折されるとともにレンズ３９へと導かれ、このレンズ３９を通過して集光されてＣＣＤ３２に照射されて結像される。このようにして走査された原稿の全面の画像情報がＣＣＤ３２によって読み取られる。
【００３６】
また、シートフィードタイプのスキャナとして用いる場合は、読取装置３１は読取載置台６内の副走査方向における一側部に移動させて位置固定しており、この位置はコンタクトガラス２９の直下方である。原稿供給トレイ２８上にセットされた原稿は給紙口８ａから１枚ずつＡＤＦ８内へ給送されて、その読取面を下方に向けてコンタクトガラス２９上を通過する原稿には、読取装置３１のスキャナランプ３５からの光が照射され、この光がコンタクトガラス２９を介して原稿の被読取位置に露光される。そして、前述のフラットベッドタイプのスキャナとして用いる場合と同様に、原稿からの反射光がミラーやレンズを介してＣＣＤ３２によって読み取られ、読み取られた後の原稿は、排紙口８ｂから原稿排出トレイ７ｂ上に排出される。
【００３７】
前記読取載置台６の上面には、コンタクトガラス２９の外側方（副走査方向における一側方）に開口部６ｂが形成されており、該開口部６ｂに透過部材２１が嵌め込まれている。
なお、この透過部材２１は無色透明に限らず、有色透明や蛍光色であってもよく、読取載置台６内部から外部へ光が透過するものであれば、特に限定はしないものとする。
このコンタクトガラス２９はＡＤＦ８内に取り込まれて搬送される原稿の画像を読み取るときの原稿読取面であり、透過部材２１は、該コンタクトガラス２９と平行に、プラテンガラス７の外側方（副走査方向における一側方）に配置されている。つまり、この透過部材２１の配置位置は、プラテンカバー７を閉じた状態でも、複合機１の装置外部から視認可能な位置であり、複合機１の近くにいるユーザにとって見やすい位置に配置されている。
【００３８】
なお、透過部材２１の配置位置であるが、上記の位置に限定するものではなく、プラテンガラス９の他側方（読取装置３１の副走査方向における他側方）で、プラテンカバー７を閉じた状態でも、複合機１の装置外部から視認可能な位置に配置してもよい。
【００３９】
また、原稿載置台６内部において、透過部材２１の他側方（読取装置３１の副走査方向における他側方）には遮蔽部材２３が垂設されており、該遮蔽部材２３によって、透過部材２１を通じて原稿載置台６内部へ進入する外光が原稿読取面の下方にある読取装置３１に至らないようにしている。すなわち、遮蔽部材２３は、ＡＤＦ８での原稿画像読取時にコンタクトガラス２９の下方に位置固定した読取装置３１、又は原稿載置台６上で原稿を読み取る場合にプラテンガラス９の下方で走査する読取装置３１に対して、外光が進入するのを防ぎ、該読取装置３１による画像読取に影響を与えないようにしている。
【００４０】
前記のように、移動手段６１・６２は、読取載置台６内の一側端部（読取装置３１の副走査方向における一側端部）まで設けられており、読取装置３１の第１走査体３３及び第２走査体３４が、読取載置台６内の一側端部まで移動可能に構成されて、該第１走査体３３に設けられたスキャナランプ３５を前記透過部材２１と対向する位置である、透過部材２１の直下方に位置させることができるように構成されている（図３参照）。
【００４１】
この図３中の実線で示す読取装置３１のスキャナランプ３５が透過部材２１の直下方に位置する位置を報知ポジションとして、該報知ポジションにある読取装置３１のスキャナランプ３５の光は透過部材２１を介して装置外部へと照射される構造となっている。また、図３中の２点鎖線で示す読取装置３１の位置がホームポジションで、プラテンガラス９上に載置された原稿の画像が読み取られるときの読取開始位置となっている。このホームポジションでは、読取装置３１の第１走査体３３がプラテンガラス９の副走査方向における一側部（ＡＤＦ８側の側部）の下方に位置している。さらに、読取装置３１は第１走査体３３をコンタクトガラス２９の直下方に位置させてスキャナランプ３５をコンタクトガラス２９に対向させて位置固定され、この位置をＡＤＦ読取ポジション（図示略）とする。
【００４２】
以上のように、読取装置３１は、ホームポジションと、ＡＤＦ読取ポジションと、報知ポジションとの３箇所に基本停止位置ポジションを有しており、通常、画像読取動作前のスタンバイ状態の時など原稿読取時以外には、移動手段６１・６２により読取装置３１を報知ポジションに位置させておくことで、プラテンカバー７を開けることなく、プラテンカバー７を閉じた状態の装置外部から、該読取装置３１のスキャナランプ３５からの光が透過部材２１を介して視認可能となり、該スキャナランプ３５からの光を装置本体の電源状況や動作状況を報知するパイロットランプとして有効に利用されている。
【００４３】
そして、原稿読取要求が発生した場合に、読取装置３１を原稿読取面の下方位置に移動させるように制御している。この制御はＲＯＭ１２に組まれた制御プログラムによって行われ、該制御プログラムは、原稿読取時以外には、読取装置３１をそのスキャナランプ３５が透過部材２１と対向する報知ポジションで待機させて、プラテンガラス９上での原稿読取要求が発生した場合には、読取装置３１をプラテンガラス９の下方のホームポジションに移動させ、ＡＤＦ８での原稿読取要求が発生した場合には、読取装置３１をコンタクトガラス２９の下方のＡＤＦ読取ポジションに移動させる制御手段として構成されている。
【００４４】
このように読取装置３１の光源であるスキャナランプ３５をパイロットランプとして有効に活用することで、従来別途に設けていたパイロットランプが不要となり、部品点数の削減を図ることができるとともに、該パイロットランプを点灯させておくのに必要であった消費電力をカットすることができ、経済的である。
【００４５】
以上の構成では、原稿読取要求が発生した場合に、読取装置３１を原稿読取面の下方位置に移動させるように制御しているが、次のように、読取装置３１を、ファクシミリ受信が発生した場合に、そのスキャナランプ３５が透過部材２１と対向する報知ポジションに移動させて、このファクシミリ受信により記録紙排出トレイ５３上に排出された記録紙５５が取り除かれると、プラテンガラス９の下方のホームポジションに復帰させるように構成してもよい。
【００４６】
この構成の場合、ＲＯＭ１２に以下のような制御プログラムを組み込んでおく。
この制御プログラムは、前記記録紙センサ５４によって記録紙排出トレイ５３上に記録紙５５が検出された場合に、読取装置３１をそのスキャナランプ３５が透過部材２１と対向する報知ポジションに移動させて、前記記録紙センサ５４によって記録紙排出トレイ５３上に記録紙５５がないことが検出された場合に、読取装置３１を原稿読取面であるプラテンガラス９の下方のホームポジションに復帰させる制御手段として構成されており、次のような流れで読取装置３１の移動位置を制御している。
【００４７】
図４はファクシミリ受信発生時の読取装置３１の移動動作を示すフローチャートであり、待機状態においては読取装置３１はホームポジションで停止しており、この状態で、ファクシミリ受信が発生して（ステップＡ１）、受信した画像が画像記録部４で記録紙５５に記録されていき、該記録紙５５が記録紙排出トレイ５３に排出されると、記録紙センサ５４がＯＮとなって、記録紙排出トレイ５３上に記録紙５５があると検出される（ステップＡ２）。この検出によりＭＰＵ１１から読取部制御回路３０へ移動指令が出力されて、読取装置３１を透過部材２１の下方の報知ポジションへ移動させる（ステップＡ３）。
【００４８】
報知ポジションへ移動した読取装置３１のスキャナランプ３５は、透過部材２１の下方に位置して、該スキャナランプ３５からの光は該透過部材２１を透過して装置外部へ照射され、この透過光によりユーザは、ファクシミリ受信があって、受信した画像を記録した記録紙５５・５５・・・が記録紙排出トレイ５３上に堆積されていることを知ることができるようになっている。
【００４９】
そして、この透過光によりファクシミリ受信を確認したユーザが、記録紙排出トレイ５３上に堆積されている記録紙５５・５５・・・を取り除くと、記録紙センサ５４がＯＦＦとなって、記録紙排出トレイ５３上の記録紙５５がなくなったと検出される（ステップＡ４）。そうして、この検出によりＭＰＵ１１から読取部制御回路３０へ復帰指令が出力されて、読取装置３１をプラテンガラス９の下方のホームポジションへ復帰させて（ステップＡ５）、該読取装置３１を該ホームポジションで画像読取に備えて待機させる。
【００５０】
以上の構成では、記録紙センサ５４によって記録紙排出トレイ５３上に記録紙５５が検出された場合に、読取装置３１を報知ポジションに移動させておくことで、プラテンカバー７を開けることなく、プラテンカバー７を閉じた状態の複合機１の装置外部から、該読取装置３１のスキャナランプ３５からの光が透過部材２１を介して視認可能に点灯している。そして、このときは、記録紙排出トレイ５３上に記録紙５５・５５・・・があるときであり、このスキャナランプ３５からの透過光によってユーザに記録紙排出トレイ５３上に記録紙５５・５５・・・があることを報知することができ、記録紙５５・５５・・・の取り出しを促すことができるようになっている。
このように読取装置３１の光源であるスキャナランプ３５を報知ランプとして有効に活用することで、従来別途に設けていたファクシミリ受信の発生を報知する報知手段が不要となり、部品点数の削減を図ることができるとともに、該報知手段を作動させておくのに必要であった消費電力をカットすることができ、経済的である。
【図面の簡単な説明】
【００５１】
【図１】複合機１の概略構成を示す側面断面図。
【図２】複合機１の制御構成を示すブロック図。
【図３】複合機１の画像読取部３の概略構成を示す側面断面図。
【図４】ファクシミリ受信発生時の読取装置３１の移動動作を示すフローチャート。
【図５】従来の画像読取装置の概略構成を示す側面図。
【符号の説明】
【００５２】
１    複合機
３    画像読取部
４    画像記録部
６    読取載置台
９    プラテンガラス
１１    ＭＰＵ
１２    ＲＯＭ
２９    コンタクトガラス
３０    読取部制御回路
３５    スキャナランプ
５３    記録紙排出トレイ
５４    記録紙センサ
６１    移動手段
６２    移動手段
【図１】
2005130015.tif 000003
【図２】
2005130015.tif 000004
【図３】
2005130015.tif 000005
【図４】
2005130015.tif 000006
【図５】
2005130015.tif 000007